(57)【要約】【課題】アプリケーションソフトの切替の手間を省き、所望の機能を速やかに利用できる表示装置を提供する。【解決手段】電子白板装置５０は、表示画面１００Ａへのタッチを検出して表示態様を変更する。ユーザによって表示画面１００Ａがタッチされると（ステップＳ１０１０においてＹＥＳ）、電子白板装置５０は表示画面１００Ａにタッチした部材の種別を検出する（ステップＳ１０２０）。電子白板装置５０は表示画面１００Ａにタッチした部材がタッチペン３００であることを検出すると（ステップＳ１０２０においてＹＥＳ）、ホワイトボードアプリを起動し、ホワイトボード機能による画像を表示画面１００Ａに表示する（ステップＳ１０３０）。【選択図】図１
2014085877.tif 000002
【特許請求の範囲】
【請求項１】
表示画面へのタッチを検出して表示態様を変更する表示装置であって、
前記表示画面に画像を表示するための表示手段と、
前記表示画面にタッチした部材の種別を検出するための部材種別検出手段と、
所定の部材による前記表示画面へのタッチを前記部材種別検出手段が検出したことに応答して、予め定められたアプリケーションソフトを起動し、当該アプリケーションソフトによる画像を前記表示画面に表示するように前記表示手段を制御するための表示制御手段とを含む、表示装置。
【請求項２】
前記表示装置は、第１のアプリケーションソフト及び前記第１のアプリケーションとは異なる第２のアプリケーションソフトを起動することが可能であり、
前記表示制御手段は、前記第１のアプリケーションソフトによる画像が表示されているときに、前記所定の部材による前記表示画面へのタッチを前記部材種別検出手段が検出したことに応答して、前記第２のアプリケーションソフトを起動し、当該アプリケーションソフトによる画像を前記表示画面に表示するための手段を含む、請求項１に記載の表示装置。
【請求項３】
前記表示装置は、前記表示画面へのタッチ方法に応じて、前記予め定められるアプリケーションソフトを起動することが可能であり、
前記予め定められるアプリケーションソフトを起動するタッチ方法を設定するための設定手段をさらに含む、請求項１に記載の表示装置。
【請求項４】
前記部材種別検出手段は、前記表示画面にタッチした部材が第１の種別の部材か、前記第１の種別とは異なる第２の種別の部材かを検出し、
前記表示装置はさらに、前記第１のアプリケーションソフトによる画像が表示されているときに、前記第１の種別の部材による前記表示画面へのタッチを前記部材種別検出手段が検出したことに応答して、前記第１のアプリケーションソフトの操作に対応する処理を行なうための手段を含み、
前記表示するための手段は、前記第１のアプリケーションソフトによる画像が表示されているときに、前記第２の種別の部材による前記表示画面へのタッチを前記部材種別検出手段が検出したことに応答して、前記第２のアプリケーションソフトを起動し、当該アプリケーションソフトによる画像を前記表示画面に表示するための手段を含む、請求項２に記載の表示装置。
【請求項５】
前記表示装置は、前記表示画面へのタッチ方法に応じて、前記第１のアプリケーションソフトの操作を行なうことが可能であり、
前記第１のアプリケーションソフトを操作するタッチ方法を設定するための設定手段をさらに含む、請求項４に記載の表示装置。
【発明の詳細な説明】
【技術分野】
【０００１】
本発明は、表示装置に関し、特に、表示画面へのタッチを検出して表示態様を変更する表示装置に関する。
【背景技術】
【０００２】
従来、タッチパネルを用いてユーザからの指示入力（タッチ）を受付ける表示装置が知られている。そうした表示装置の１つとして、近年、電子白板が普及しつつある。電子白板は例えば会議等で用いられる。特によく利用されている電子白板は、大型の表示画面を有する表示パネルと、２次元における位置座標を検知するタッチパネルとを組合せたコンピュータシステムを含む。
【０００３】
一般的に、電子白板は、表示画面上においてペン等によって指定される位置座標を逐次読取り、読取った情報を元に入力の軌跡を表示パネルに表示する。これによって、電子白板は、手書き入力等、ホワイトボードとしての機能を実現している。
【０００４】
電子白板におけるタッチパネルへの指示入力は、上記したペン以外に例えば指等を含む種々の部材を用いて行なうことが可能である。さらに、指示入力のための部材として、専用のタッチペンを用いることも可能である。
【０００５】
後掲の特許文献１は、専用のタッチペン（専用ペン）を備えた座標入力装置を開示する。この座標入力装置は、タッチパネルを備え、このタッチパネルに対して接触する部材の種別を検出可能に構成されている。すなわち、特許文献１の座標入力装置は、タッチパネルにタッチした部材が専用ペンか否かを判定可能とされている。特許文献１の座標入力装置は、専用ペンによるタッチを検出することによって、タッチパネルに対するタッチの誤検出を抑制する。そのため、手書き入力時において、タッチの誤検出に起因する、入力された文字及び図形の変形を防止できる。
【先行技術文献】
【特許文献】
【０００６】
【特許文献１】特開２０１１−１９２３１４号公報
【発明の概要】
【発明が解決しようとする課題】
【０００７】
電子白板は、ホワイトボード機能のみならず、アプリケーションソフトの起動によって種々の機能を実現可能である。例えば、電子白板は、種々の情報を表示するデジタルサイネージ（電子看板）として用いることもできる。
【０００８】
しかし、電子白板をホワイトボード及びデジタルサイネージとして兼用する場合、以下の問題がある。すなわち、デジタルサイネージからホワイトボードに切替える際には、サイネージ用のアプリケーションソフトを一時停止又は終了し、ホワイトボード用のアプリケーションソフトを起動する必要がある。そのため、その切替に手間がかかるという問題がある。
【０００９】
特許文献１の座標入力装置は、上記のように、手書き入力時に生じる問題を抑制することが可能である。しかし、特許文献１において、アプリケーションソフトの起動によって種々の機能を実現可能とした場合には、上記と同様の問題が生じる。
【００１０】
本発明は、上記のような課題を解決するためになされたものであり、本発明の１つの目的は、アプリケーションソフトの切替の手間を省き、所望の機能を速やかに利用できる表示装置を提供することである。
【課題を解決するための手段】
【００１１】
上記目的を達成するために、本発明の一の局面に係る表示装置は、表示画面へのタッチを検出して表示態様を変更する表示装置である。この表示装置は、表示画面に画像を表示するための表示手段と、表示画面にタッチした部材の種別を検出するための部材種別検出手段と、所定の部材による表示画面へのタッチを部材種別検出手段が検出したことに応答して、予め定められたアプリケーションソフトを起動し、当該アプリケーションソフトによる画像を表示画面に表示するように表示手段を制御するための表示制御手段とを含む。
【００１２】
表示装置は、表示画面にタッチした部材の種別を検出する。所定の部材による表示画面へのタッチを検出すると、表示装置は、予め定められたアプリケーションソフトを起動し、当該アプリケーションソフトによる画像を表示画面に表示する。所望のアプリケーションソフトを予め設定しておけば、所定の部材によって表示画面をタッチすることにより、所望のアプリケーションソフトを起動してそのアプリケーションソフトによる画像を表示できる。そのため、切替の手間を省くことができるので、所望の機能を直ぐに利用できる。
【００１３】
好ましくは、所定の部材は、表示画面にタッチしたことに応答して信号を送信するための信号送信手段を含むペン部材を含み、表示装置は、信号送信手段が送信した信号を受信するための信号受信手段をさらに含み、部材種別検出手段は、信号受信手段による信号の受信に応じて、表示画面にタッチした部材の種別を検出するための手段を含む。
【００１４】
上記所定の部材はペン部材を含み、このペン部材は表示画面にタッチしたことに応答して信号を送信する。表示装置は、ペン部材から送信された信号の受信に応じて、表示画面にタッチした部材の種別を検出する。そのため、表示画面にタッチされた部材が、所定の部材（ペン部材）であるか否かを容易に検出できる。
【００１５】
より好ましくは、表示装置は、第１のアプリケーションソフト及び第１のアプリケーションとは異なる第２のアプリケーションソフトを起動することが可能であり、表示制御手段は、第１のアプリケーションソフトによる画像が表示されているときに、所定の部材による表示画面へのタッチを部材種別検出手段が検出したことに応答して、第２のアプリケーションソフトを起動し、当該アプリケーションソフトによる画像を表示画面に表示するための手段を含む。
【００１６】
第１のアプリケーションソフトによる画像が表示画面に表示されているときに、所定の部材による表示画面へのタッチを検出すると、表示装置は、第２のアプリケーションソフトを起動し、当該アプリケーションソフトによる画像を表示画面に表示する。このため、所定の部材による表示画面へのタッチにより、第１のアプリケーションソフトの終了と第２のアプリケーションソフトの起動とを容易に行なうことができる。これにより、アプリケーションソフトの切替の手間を容易に省くことができ、第２のアプリケーションソフトによる機能を速やかに利用できる。
【００１７】
さらに好ましくは、表示装置は、表示画面へのタッチ方法に応じて、予め定められるアプリケーションソフトを起動することが可能であり、予め定められるアプリケーションソフトを起動するタッチ方法を設定するための設定手段をさらに含む。
【００１８】
予め定められるアプリケーションソフトを起動するタッチ方法を設定することにより、ユーザの好みに沿った種々のタッチ方法でアプリケーションソフトの切替を行なうことができる。例えばユーザの好みのタッチ方法でアプリケーションソフトを起動できる。そのため、所望のアプリケーションソフトをより容易に起動できるので、所望の機能を一層速やかに利用できる
【００１９】
さらに好ましくは、部材種別検出手段は、表示画面にタッチした部材が第１の種別の部材か、第１の種別とは異なる第２の種別の部材かを検出し、表示装置はさらに、第１のアプリケーションソフトによる画像が表示されているときに、第１の種別の部材による表示画面へのタッチを部材種別検出手段が検出したことに応答して、第１のアプリケーションソフトの操作に対応する処理を行なうための手段を含み、表示するための手段は、第１のアプリケーションソフトによる画像が表示されているときに、第２の種別の部材による表示画面へのタッチを部材種別検出手段が検出したことに応答して、第２のアプリケーションソフトを起動し、当該アプリケーションソフトによる画像を表示画面に表示するための手段を含む。
【００２０】
表示装置は、第１のアプリケーションソフトによる画像が表示されているときに、第１の種別の部材による表示画面へのタッチを検出すると、第１のアプリケーションソフトの操作に対応する処理を実行する。一方、第１のアプリケーションソフトによる画像が表示されているときに、第２の種別の部材による表示画面へのタッチを検出すると、第２のアプリケーションソフトを起動し、当該アプリケーションソフトによる画像を表示画面に表示する。このため、第１の種別の部材による表示画面へのタッチにより、第１のアプリケーションソフトの操作を行なうことができ、第２の種別の部材による表示画面へのタッチにより、第１のアプリケーションソフトから第２のアプリケーションソフトに切替ることができる。このように、表示画面にタッチする部材を変えることで、異なる操作を行なうことができる。これにより、操作を簡便にすることができる。その結果、所望の機能をより一層速やかに利用できる。
【００２１】
さらに好ましくは、表示装置は、表示画面へのタッチ方法に応じて、第１のアプリケーションソフトの操作を行なうことが可能であり、第１のアプリケーションソフトを操作するタッチ方法を設定するための設定手段をさらに含む。
【００２２】
第１のアプリケーションソフトの操作を行なうタッチ方法を設定することにより、ユーザの好みに沿った種々のタッチ方法で第１のアプリケーションソフトの操作を行なうことができる。例えばユーザの好みのタッチ方法で第１のアプリケーションソフトの操作を行なうことができる。
【００２３】
さらに好ましくは、第１のアプリケーションソフトは、複数の情報を遷移して表示画面に表示するデジタルサイネージの機能を実現するソフトを含み、第２のアプリケーションソフトは、表示画面に描画を行なう描画機能を実現するソフトを含む。
【００２４】
これにより、表示装置をホワイトボード及びデジタルサイネージとして兼用できる。その際、デジタルサイネージ機能からホワイトボード機能への切替の手間を省くことができ、ホワイトボード機能を速やかに利用できる。
【発明の効果】
【００２５】
以上のように、本発明によれば、アプリケーションソフトの切替の手間を省き、所望の機能を速やかに利用できる表示装置を容易に得ることができる。
【図面の簡単な説明】
【００２６】
【図１】本発明の第１の実施の形態に係る電子白板装置を示す図である。
【図２】図１に示す電子白板装置のハードウェア構成を示す制御ブロック図である。
【図３】電子白板装置における描画位置（タッチ位置）の検出方法の一例を示す図である。
【図４】図１に示す電子白板装置に用いるタッチペンを模式的に示す外観図である。
【図５】図４に示すタッチペンのハードウェア構成を示す制御ブロック図である。
【図６】図１に示す電子白板装置で実行されるプログラムの制御構造を示すフローチャートである。
【図７】本発明の第２の実施の形態に係る電子白板装置のハードウェア構成を示す制御ブロック図である。
【図８】タッチ方法を設定するための設定画面例を示す図である。
【図９】メッセージボードアプリの起動時に表示されるメッセージボード画面例を示す図である。
【図１０】スケジュール連絡ボードアプリの起動時に表示されるスケジュール連絡ボード画面例を示す図である。
【図１１】本発明の第３の実施の形態に係る電子白板装置で実行されるプログラムの制御構造を示すフローチャートである。
【図１２】本発明の第３の実施の形態に係る電子白板装置で実行されるプログラムの制御構造を示すフローチャートである。
【発明を実施するための形態】
【００２７】
以下の実施の形態では、同一の部品には同一の参照番号を付してある。それらの機能及び名称も同一である。したがって、それらについての詳細な説明は繰返さない。以下では、表示装置の一例である電子白板装置に本発明を適用した例について説明する。
【００２８】
（第１の実施の形態）
図１を参照して、本発明の第１の実施の形態に係る電子白板装置５０について、その機能を説明する。電子白板装置５０は、大型の表示画面１００Ａを有するタッチパネルディスプレイ１００と、コンピュータからなる制御装置２００（図２参照）とを含む。制御装置２００の詳細については後述する。電子白板装置５０は、種々のアプリケーションソフトを起動することによって、起動したアプリケーションソフトに対応する機能を実現する。電子白板装置５０によって起動されるアプリケーションソフトは、ホワイトボード機能を実現するためのアプリケーションソフト（以下「ホワイトボードアプリ」と記載する。）、及び、デジタルサイネージ機能を実現するためのアプリケーションソフト（以下「サイネージアプリ」と記載する。）を含む。
【００２９】
ホワイトボード機能は、電子白板装置５０をホワイトボートとして使用するための機能である。図１（Ｂ）を参照して、ホワイトボードアプリが起動されると、電子白板装置５０は、タッチパネルディスプレイ１００に背景が白地の画面を表示し、ユーザによるタッチパネルディスプレイ１００への入力（タッチ）を受付ける。ユーザはペン等の部材を用いてタッチパネルディスプレイ１００にタッチすることによりタッチパネルディスプレイ１００上の任意の位置を指定できる。ユーザはさらに、タッチパネルディスプレイ１００に表示された白地の画面内にペン等をタッチさせたままドラックすることにより、描画を行なうことができる。
【００３０】
デジタルサイネージ機能は、タッチパネルディスプレイ１００に、複数の情報を遷移して表示する電子看板機能である。図１（Ａ）を参照して、サイネージアプリが起動されると、所定の画像（静止画像又は動画像）が遷移してタッチパネルディスプレイ１００に表示される。このように、電子白板装置５０はホワイトボード機能とデジタルサイネージ機能とを兼用して使用することが可能である。各機能は任意に切替えて使用される。
【００３１】
電子白板装置５０は、タッチパネルディスプレイ１００への指示及び描画等にタッチペン３００を用いることができる。電子白板装置５０は、このタッチペン３００とともに表示システムを構成する。電子白板装置５０はさらに、タッチパネルディスプレイ１００（表示画面１００Ａ）にタッチした部材の種別を検出する機能を有している。具体的には、電子白板装置５０は、タッチパネルディスプレイ１００にタッチされた部材がタッチペン３００か、タッチペン３００以外の部材（例えば指）であるかを検出（識別）する。タッチペン３００は、タッチパネルディスプレイ１００にタッチしたタイミングで信号（ペン信号）を送信する機能を有している。電子白板装置５０は、このペン信号を受信することによって、タッチパネルディスプレイ１００にタッチされた部材がタッチペン３００か否かを検出する。なお、タッチペン３００の詳細は後述する。
【００３２】
本実施の形態では、電子白板装置５０において、サイネージアプリが起動しており、当該サイネージアプリによってデジタルサイネージによる画像が表示画面１００Ａに表示されているときに、タッチペン３００による表示画面１００Ａへのタッチを検出すると、電子白板装置５０はホワイトボードアプリを起動してホワイトボード機能の画像（画面）をタッチパネルディスプレイ１００に表示する。一方、電子白板装置５０において、サイネージアプリが起動しており、当該サイネージアプリによってデジタルサイネージによる画像が表示画面１００Ａに表示されているときに、指による表示画面１００Ａへのタッチを検出すると、電子白板装置５０はサイネージアプリの操作に対応する処理を実行する。具体的には、デジタルサイネージが動作しているときに、指によるタッチを検出すると、電子白板装置５０は、デジタルサイネージの動作を一時停止する。これにより、見たい情報をゆっくりと見ることができる。デジタルサイネージの動作が一時停止しているときに、指によるタッチを検出すると、電子白板装置５０はデジタルサイネージの動作を再開する。
【００３３】
［ハードウェア構成］
《電子白板装置５０》
図２を参照して、電子白板装置５０は、大画面のタッチパネルディスプレイ１００と、コンピュータからなる制御装置２００とを含む。タッチパネルディスプレイ１００は、画像を表示する表示部１１０と、タッチ検出装置１２０とを含む。
【００３４】
制御装置２００は、パーソナルコンピュータ等の情報処理装置からなり、例えばタッチパネルディスプレイ１００の裏面側等の所定部分に取付けられる。制御装置２００は、所定のプログラムを実行することにより、電子白板装置５０の全体の制御を実現するための中央演算処理装置（ＣＰＵ）２１０と、電子白板装置５０の電源が投入されたときにＣＰＵ２１０が読出すプログラムを記憶する読出専用メモリ（ＲＯＭ）２１２と、ＣＰＵ２１０が作業用メモリとして使用するランダム・アクセス・メモリ（ＲＡＭ）２１４と、電子白板装置５０の電源が切断されたときに記録を保持することが可能な記録部２１６と、電子白板装置５０に対して図示しないネットワークとの接続を提供するインターフェイス部（ＩＦ部）２１８と、ＣＰＵ２１０の制御にしたがってタッチパネルディスプレイ１００による画像の表示を制御するディスプレイ制御部２２０と、ＣＰＵ２１０が、タッチパネルディスプレイ１００に表示させる画像を書込むビデオメモリ（ＶＲＡＭ）２２２と、これらを互いに接続し、相互の間のデータ及び制御信号の通信を可能にするバス２２４とを含む。
【００３５】
制御装置２００はさらに、ディスプレイ制御部２２０に接続され、ディスプレイ制御部２２０の制御にしたがってタッチパネルディスプレイ１００に信号を出力するディスプレイ出力部２２６と、ディスプレイ制御部２２０に接続され、タッチパネルディスプレイ１００からの信号に基づいてタッチパネルディスプレイ１００へのタッチを検出し、その信号をディスプレイ制御部２２０に出力するタッチ検出部２２８と、ディスプレイ制御部２２０に接続され、タッチパネルディスプレイ１００に対する種々の設定を行なうディスプレイ設定部２３０とを含む。
【００３６】
ディスプレイ出力部２２６は、接続線２５０を介してタッチパネルディスプレイ１００の表示部１１０と接続されている。タッチ検出部２２８は、接続線２６０を介してタッチパネルディスプレイ１００のタッチ検出装置１２０と接続されている。接続線２５０は、例えばディスプレイケーブルであり、接続線２６０は、例えばＵＳＢ（Ｕｎｉｖｅｒｓａｌ  Ｓｅｒｉａｌ  Ｂｕｓ）ケーブルである。
【００３７】
ＲＯＭ２１２は、電子白板装置５０の電源投入時にＣＰＵ２１０が実行し、電子白板装置５０が所定の動作をするように電子白板装置５０の全体を設定するためのプログラム及びデータを記憶している。電子白板装置５０の動作を実現するためのプログラムもＲＯＭ２１２に記憶されている。
【００３８】
記録部２１６は、通電が遮断された場合にもデータを保護する不揮発性記憶装置であり、例えば、ハードディスクドライブ又はフラッシュメモリ等である。記録部２１６は制御装置２００に対して着脱可能でもよい。記録部２１６は、ＣＰＵ２１０が実行するプログラムの一部を記憶することもできる。記録部２１６はさらに、サイネージアプリが起動されたときに、デジタルサイネージの画像としてタッチパネルディスプレイ１００に表示する画像データを記憶する。ホワイトボード機能を実現するホワイトボードアプリ、及び、デジタルサイネージ機能を実現するサイネージアプリは、ＲＯＭ２１２又は記録部２１６に記憶されている。
【００３９】
ＣＰＵ２１０は、通常動作時には、バス２２４を介してＲＯＭ２１２又は記録部２１６からプログラムをＲＡＭ２１４上にロードし、図示しないプログラムカウンタにより指定されるアドレスから命令を順次読出して実行する。ＣＰＵ２１０は、ＲＯＭ２１２及び記録部２１６に格納されているプログラムにしたがって電子白板装置５０を構成する各部の制御を行なう。
【００４０】
ＩＦ部２１８は、ＣＰＵ２１０の制御の下で、ネットワークに接続されたコンピュータ等との間で画像データ等を送受信する。ＩＦ部２１８を介して電子白板装置５０が外部から受信した画像データ等は、ＲＡＭ２１４又は記録部２１６に記録される。
【００４１】
タッチパネルディスプレイ１００は、表示画面１００Ａ上に画像を表示する表示部１１０と、表示部１１０における表示画面１００Ａのどの位置がユーザによりタッチされたかを所定時間ごとに検出し、その位置の座標をタッチ検出部２２８に対して出力するタッチ検出装置１２０とを含む。すなわち、タッチ検出装置１２０は、タッチがあったことを検出し、検出があったことを示す信号を出力する機能と、そのときのタッチ位置を示す座標データを出力する機能とを持つ。本実施の形態では、座標データを出力することにより、タッチがあったことも同時に示すものとする。タッチ検出装置１２０は、タッチペン３００から送信される信号を受信するペン信号受信部１２２を含む。
【００４２】
表示部１１０は液晶表示パネル等の表示パネルであり、ディスプレイ制御部２２０の制御の下で表示画面１００Ａ上に、ＶＲＡＭ２２２に形成された画像を形成する。ディスプレイ出力部２２６は、表示部１１０を駆動するための駆動部として機能する。ディスプレイ制御部２２０は、ＶＲＡＭ２２２に記憶された画像データを所定のタイミングで読出し、ディスプレイ出力部２２６を介して、表示部１１０に画像を表示させるための信号を表示部１１０に出力する。表示される画像データは、ＣＰＵ２１０がＲＡＭ２１４上の情報及び記録部２１６に記録された情報から生成し、ＶＲＡＭ２２２上の各表示画素に対応するアドレスに伝送する。
【００４３】
タッチ検出部２２８は、タッチ検出装置１２０からの信号に基づいてタッチパネルディスプレイ１００へのタッチを検出する。ディスプレイ制御部２２０は、タッチ検出部２２８で検出された情報にしたがって、表示部１１０の表示を変更する。ペン信号受信部１２２は、タッチペン３００から送信される信号（ペン信号）を受信して、その情報をタッチ検出部２２８に出力する。タッチ検出部２２８は、タッチの検出と、ペン信号受信部１２２によるペン信号の受信状況とに基づいて、表示画面１００Ａにタッチした部材の種別を検出する。具体的には、タッチ検出部２２８がタッチパネルディスプレイ１００へのタッチを検出したタイミングで、ペン信号受信部１２２がペン信号を受信した場合、タッチ検出部２２８は、タッチペン３００によってタッチパネルディスプレイ１００にタッチされたことを検出する。一方、タッチ検出部２２８がタッチパネルディスプレイ１００へのタッチを検出したタイミングで、ペン信号受信部１２２がペン信号を受信しなかった場合、タッチ検出部２２８は、タッチペン３００以外の部材（例えば指）によってタッチパネルディスプレイ１００にタッチされたことを検出する。
【００４４】
タッチ検出装置１２０は、ユーザによるタッチ操作を検出する。タッチ検出装置１２０によるタッチ操作の検出について、図３を参照して説明する。以下では、タッチパネルディスプレイ１００にタッチする部材としてタッチペン３００を用いる場合について説明する。しかし、タッチする部材はタッチペン３００以外の部材（例えば指、タッチペン３００以外の通常のタッチペン等）であっても、タッチペン３００と同様にタッチ操作の検出は可能である。
【００４５】
図３を参照して、本実施の形態では、タッチ検出装置１２０は、赤外線遮断検出方式である。タッチ検出装置１２０は、長方形の書込面を持つ。タッチ検出装置１２０はさらに、この書込面の隣接する２辺にそれぞれ一列に配置された発光ダイオード（ＬＥＤ）列１３０、１３２と、それぞれＬＥＤ列１３０、１３２に対向して一列に配置された２つのフォトダイオード（ＰＤ）列１４０、１４２とを含む。ＬＥＤ列１３０、１３２の各ＬＥＤは赤外線を発光し、この赤外線を、対向するＰＤ列１４０、１４２の各ＰＤが検出する。図３において、ＬＥＤ列１３０、１３２の各ＬＥＤから赤外線を上向き及び左向きの矢印で示す。
【００４６】
タッチ検出装置１２０は、例えば図示しないマイクロコンピュータ（ＣＰＵ、メモリ、入出力回路等を含む素子）を持ち、このマイクロコンピュータが各ＬＥＤの発光を制御する。ＰＤ列１４０、１４２内の各ＰＤは、受光した光の強度に応じた電圧を出力する。ＰＤの出力電圧は、アンプによって増幅される。ＰＤ列１４０、１４２の複数のＰＤからは同時に信号が出力されるので、出力信号はタッチ検出装置１２０内の図示しないバッファに一旦保存された後、ＰＤの配列順序に応じたシリアル信号として出力され、マイクロコンピュータに伝送される。本実施の形態では、ＰＤ列１４０から出力されるシリアル信号の順序は、Ｘ座標を表す。ＰＤ列１４２から出力されるシリアル信号の順序は、Ｙ座標を表す。
【００４７】
ユーザがタッチペン３００でタッチ検出装置１２０のタッチ面上の１点にタッチすると、タッチペン３００のペン先によって赤外線が遮断される。したがって、遮断される前まで、その赤外線を受光していたＰＤの出力電圧は低下する。すなわち、タッチされた位置（ＸＹ座標）に対応するＰＤからの信号電圧が低下する。マイクロコンピュータは、受信した２つのシリアル信号の信号レベルが低下している部分を検出し、タッチされた位置の位置座標を求める。マイクロコンピュータは、決定された位置座標をＣＰＵ２１０に伝送する。このタッチ位置を検出する処理は、所定の検出周期で繰返されるので、同じ点が検出周期よりも長い時間タッチされていると、同じ座標データが繰返し出力される。ユーザがペン３００をタッチパネルディスプレイ１００に接触させたまま移動させると、その位置が所定時間ごとに検出される。すなわち、この場合、所定の検出周期で位置座標が少しずつ変化して検出されることになる。
【００４８】
上記したタッチされた位置の検出技術は公知であるので、これ以上の説明は繰返さない。また、タッチ検出装置１２０には、赤外線遮断方式以外のタッチパネル（静電容量方式、表面弾性波方式、抵抗膜方式、カメラの画像から座標を割り出す赤外線カメラ方式等）を用いてもよい。なお、静電容量方式及び赤外線カメラ方式では、センサに近接していれば非接触でも位置を検出できる。
【００４９】
《タッチペン３００》
図４及び図５を参照して、タッチペン３００は、ペン先スイッチ３１０と、ペン制御部３１２と、ペン信号送信部３１４とを含む。ペン先スイッチ３１０は、タッチペン３００のペン先を指示対象物に接触させたときにオン状態になり、ペン先が何にも接触していない場合にはオフ状態となる機械式スイッチである。ペン制御部３１２は、ペン先スイッチ３１０がオン状態になったことを検出すると、タッチペン３００がオン状態であることを示す信号を、ペン信号送信部３１４を介して送信する。
【００５０】
本実施の形態では、タッチペン３００から送信されるペン信号は赤外線によって送信される。そのため、ペン信号を受信するペン信号受信部１２２は赤外線受光素子を含む。すなわち、ペン信号の送受信は、赤外線方式により行なわれる。
【００５１】
［ソフトウェア構成］
図６を参照して、本実施の形態に係る電子白板装置５０の機能の切替時の制御を行なうプログラムは、以下の制御構造を持つ。このプログラムは、電子白板装置５０の電源が投入されることによって起動される。
【００５２】
このプログラムは、表示画面１００Ａにデジタルサイネージが表示されているか否かを判定し、デジタルサイネージが表示されるまで待機するステップＳ１０００と、ステップＳ１０００において、表示画面１００Ａにデジタルサイネージが表示されたと判定された場合に実行され、表示画面１００Ａへのタッチを検出したか否かを判定し、タッチを検出するまで待機するステップＳ１０１０と、ステップＳ１０１０において、表示画面１００Ａへのタッチを検出したと判定された場合に実行され、表示画面１００Ａにタッチした部材がタッチペン３００であるか否かを判定し、判定結果に応じて制御の流れを分岐させるステップＳ１０２０とを含む。
【００５３】
ステップＳ１０１０では、表示画面１００Ａへのタッチを検出するまで、電子白板装置５０は表示画面１００Ａにデジタルサイネージの画像を表示する。ステップＳ１０２０では、タッチを検出したタイミングでタッチペン３００からのペン信号を受信した場合は、ＣＰＵ２１０は、表示画面１００Ａにタッチした部材がタッチペン３００であると判定する。一方、タッチを検出したタイミングでタッチペン３００からのペン信号を受信しなかった場合は、ＣＰＵ２１０は、表示画面１００Ａにタッチした部材がタッチペン３００以外の部材（例えば指）であると判定する。
【００５４】
このプログラムはさらに、ステップＳ１０２０において、表示画面１００Ａへのタッチがタッチペン３００であると判定された場合に実行され、サイネージアプリを終了させてホワイトボードアプリを起動し、ホワイトボード機能の画像（画面）を表示画面１００Ａに表示してこのプログラムを終了するステップＳ１０３０と、ステップＳ１０２０において、表示画面１００Ａへのタッチがタッチペン３００ではないと判定された場合（表示画面１００Ａへのタッチが例えば指であると判定された場合）に実行され、デジタルサイネージの操作処理を実行して制御をステップＳ１０１０に戻すステップＳ１０４０とを含む。
【００５５】
ステップＳ１０４０では、デジタルサイネージの表示が動作していれば、指によるタッチに応答して、デジタルサイネージの表示動作を一時停止する操作処理を実行する。デジタルサイネージの表示が動作していなければ（一時停止していれば）、指によるタッチに応答して、デジタルサイネージの表示動作を再開する操作処理を実行する。
【００５６】
［動作］
本実施の形態に係る電子白板装置５０は以下のように動作する。以下の説明では、電子白板装置５０の動作の内、本発明に関連する部分のみを説明する。他の動作は従来の電子白板装置５０の動作と同様である。
【００５７】
ユーザが電子白板装置５０の電源を投入し、所望のアプリケーションソフトを起動すると、そのアプリケーションソフトに基づく画像（画面）がタッチパネルディスプレイ１００に表示される。所望のアプリケーションソフトがサイネージアプリであった場合、図１（Ａ）に示すように、デジタルサイネージの画像がタッチパネルディスプレイ１００に表示される。上記所望のアプリケーションソフトがサイネージアプリ以外であった場合に、電子白板装置５０（制御装置２００）が操作されない状態で所定時間放置されると、サイネージアプリが自動的に起動する。
【００５８】
図１を参照して、タッチパネルディスプレイ１００（表示画面１００Ａ）にデジタルサイネージの画像が表示されているときに（図６に示すステップＳ１０００においてＹＥＳ）、ユーザがタッチペン３００で表示画面１００Ａの任意の位置をタッチしたとする。タッチ検出装置１２０は、ユーザによる表示画面１００Ａへのタッチを検出する（ステップＳ１０１０においてＹＥＳ）。図４及び図５を参照して、タッチペン３００は、表示画面１００Ａへのタッチによってペン先スイッチ３１０がオン状態となり、ペン信号送信部３１４を介してペン信号を送信する。図２を参照して、電子白板装置５０は、ペン信号受信部１２２を介してタッチペン３００から送信されたペン信号を受信する。この場合、電子白板装置５０は、表示画面１００Ａへのタッチを検出したタイミングで、タッチペン３００から送信されたペン信号を受信することになる。これにより、電子白板装置５０は、表示画面１００Ａにタッチした部材がタッチペン３００であることを検出する（ステップＳ１０２０においてＹＥＳ）。
【００５９】
再び図１を参照して、電子白板装置５０は、デジタルサイネージの画像が表示されているときに、タッチペン３００による表示画面１００Ａへのタッチを検出したことに応答して、ホワイトボードアプリを起動し、図１（Ｂ）に示すように、ホワイトボードアプリに基づく画像（画面）を表示画面１００Ａに表示する（図６に示すステップＳ１０３０）。なお、ホワイトボード機能を終了させた場合、デジタルサイネージ表示に戻るようにしてもよい。
【００６０】
一方、タッチパネルディスプレイ１００（表示画面１００Ａ）にデジタルサイネージの画像が表示されているときに、ユーザが指で表示画面１００Ａの任意の位置をタッチしたとする。タッチ検出装置１２０は、ユーザによる表示画面１００Ａへのタッチを検出する（図６に示すステップＳ１０１０においてＹＥＳ）。表示画面１００Ａへのタッチがタッチペン３００以外の部材（指）である場合、電子白板装置５０は、表示画面１００Ａへのタッチを検出したタイミングでペン信号を受信しないため、表示画面１００Ａにタッチした部材がタッチペン３００以外の部材（指）であることを検出する（図６に示すステップＳ１０２０においてＮＯ）。
【００６１】
電子白板装置５０は、デジタルサイネージの画像が表示されているときに、指による表示画面１００Ａへのタッチを検出したことに応答して、デジタルサイネージの操作処理を実行する。具体的には、デジタルサイネージの表示が動作しているときに、ユーザが指で表示画面１００Ａをタッチすると、デジタルサイネージの表示動作が一時停止する。デジタルサイネージの表示が一時停止しているときに、ユーザが指で表示画面１００Ａをタッチすると、デジタルサイネージの表示動作が再開する（図６に示すステップＳ１０４０）。
【００６２】
［本実施の形態の効果］
以上の説明から明らかなように、本実施の形態に係る電子白板装置５０を利用することにより、以下に述べる効果を奏する。
【００６３】
電子白板装置５０は、表示画面１００Ａにタッチした部材の種別を検出する。タッチペン３００による表示画面１００Ａへのタッチを検出すると、電子白板装置５０はホワイトボードアプリを起動し、ホワイトボード機能による画面を表示画面１００Ａ（タッチパネルディスプレイ１００）に表示する。これにより、機能の切替の手間を省くことができ、ホワイトボード機能を直ぐに利用できる。
【００６４】
電子白板装置５０は、制御装置２００が操作されない状態で所定時間放置されると、サイネージアプリを起動する。そのため、ホワイトボード機能を利用していない時間帯は別のアプリケーションソフト（サイネージアプリ）を起動させることができるので、空き時間を有効活用できる。例えば、電子白板装置５０を会議に利用する場合、会議をしていない時間帯は電子白板装置５０のホワイトボード機能を利用していないため、その時間帯にデジタルサイネージを表示することによって空き時間を有効活用できる。
【００６５】
サイネージアプリによる画像が表示画面１００Ａに表示されているときに、タッチペン３００による表示画面１００Ａへのタッチを検出すると、電子白板装置５０は、ホワイトボードアプリを起動し、当該アプリによる画像を表示画面１００Ａに表示する。このため、例えば会議を行なう場合には、タッチペン３００を用いて表示画面１００Ａにタッチすることにより、直ぐにホワイトボードアプリを起動してホワイトボード機能を利用することができる。このように、タッチペン３００を用いて表示画面１００Ａにタッチすることにより、サイネージアプリの終了とホワイトボードアプリの起動とを容易に行なうことができるので、アプリケーションソフトの切替の手間を容易に省くことができ、ホワイトボードアプリによるホワイトボード機能を速やかに利用できる。
【００６６】
電子白板装置５０は、デジタルサイネージの画像が表示されているときに、タッチペン３００以外の部材（指）による表示画面１００Ａへのタッチを検出すると、サイネージアプリの操作に対応する処理を実行する。一方、デジタルサイネージの画像が表示されているときに、タッチペン３００による表示画面１００Ａへのタッチを検出すると、ホワイトボードアプリを起動し、当該アプリによる画像を表示画面１００Ａに表示する。このため、指による表示画面１００Ａへのタッチにより、デジタルサイネージの操作を行なうことができ、タッチペン３００による表示画面１００Ａへのタッチにより、デジタルサイネージ機能からホワイトボード機能に切替ることができる。このように、表示画面１００Ａにタッチする部材を変えることで、異なる操作を行なうことができる。これにより、操作を簡便にすることができる。
【００６７】
本実施の形態では、デジタルサイネージの画像が表示されているときに、指等のタッチペン３００以外の部材で表示画面１００Ａをタッチすることにより、デジタルサイネージを操作することができる。そのため、デジタルサイネージの表示時に、表示されている情報をゆっくりとみたい場合に、表示画面１００Ａを指でタッチするだけでデジタルサイネージの表示動作を一時停止できる。
【００６８】
（第２の実施の形態）
図７を参照して、本発明の第２の実施の形態に係る電子白板装置５００は、第１の実施の形態に係る電子白板装置５０と同様の構成を有している。ただし、第２の実施の形態では、ホワイトボードアプリを起動するタッチ方法及びサイネージアプリを操作するタッチ方法を、任意のタッチ方法に設定できる点において、第１の実施の形態とは異なる。
【００６９】
［構成］
本実施の形態に係る電子白板装置５００は、任意のタッチ方法によりホワイトボードアプリを起動できるように設定可能とされている。さらに電子白板装置５００は、任意のタッチ方法によりサイネージアプリを操作できるように設定可能とされている。電子白板装置５００は、設定されたタッチ方法によってホワイトボードアプリを起動することが可能となるとともに、設定されたタッチ方法によってサイネージアプリを操作することが可能となる。
【００７０】
図７を参照して、電子白板装置５００は、大画面のタッチパネルディスプレイ１００と、コンピュータからなる制御装置６００とを含む。制御装置６００は、第１の実施の形態と同様の構成を有している。ただし、本実施の形態では、ディスプレイ設定部２３０（図２参照）に代えてディスプレイ設定部６１０を含む点において第１の実施の形態とは異なる。
【００７１】
ディスプレイ設定部６１０は、第１の実施の形態による機能に加えて、ホワイトボード機能への切替時のタッチ方法の設定、及び、サイネージアプリを操作するタッチ方法の設定を行なう機能を有している。
【００７２】
電子白板装置５００は、例えばタッチパネルディスプレイ１００に図８に示す設定画面７００を表示することができ、この設定画面７００においてタッチ方法を設定できる。図８を参照して、左のボックス７１０には、タッチ方法として設定可能な方法が列挙されている。デフォルトでは、設定可能なタッチ方法として例えばペン（タッチペン３００）でタッチ、ペン（タッチペン３００）でダブルタッチ、指（１本指）でタッチ、指（１本指）でダブルタッチ、２本指でタッチ、２本指でダブルタッチ、３本指でタッチ及び３本指でダブルタッチが示されている。なお、設定可能なタッチ方法は、必要に応じて所望のタッチ方法を追加可能とすることもできる。
【００７３】
タッチ方法の選択は、左のボックス７１０のタッチ方法からホワイトボードへの切替のボックス７２０にタッチ方法を追加すると、そのタッチ方法がホワイトボードへ切替るタッチ方法として設定される。同様に、左のボックス７１０のタッチ方法からデジタルサイネージの一時停止のボックス７３０にタッチ方法を追加すると、そのタッチ方法がデジタルサイネージの一時停止及び一時停止からの動作の再開を行なうためのタッチ方法として設定される。この設定画面７００からも分かるように、ホワイトボードへの切替のボックス７２０とデジタルサイネージの一時停止のボックス７３０とに同じタッチ方法を追加することができなくなっている。そのため、ホワイトボードへの切替を行なうタッチ方法は、デジタルサイネージの操作を行なうタッチ方法とは異なるタッチ方法となる。
【００７４】
電子白板装置５００は、デジタルサイネージが表示されているときに、設定されたタッチ方法を検出すると、その検出に応答して、ホワイトボードアプリの起動、又は、サイネージアプリの操作処理を実行する。図８には、ホワイトボードへの切替のタッチ方法として「タッチペンでタッチ（タッチペン３００でタッチ）」が設定され、デジタルサイネージの一時停止及び一時停止からの動作の再開を行なうためのタッチ方法として「指でタッチ」が設定された例が示されている。電子白板装置５００は、デジタルサイネージが表示されているときに、タッチペン３００によって表示画面１００Ａにタッチされたことを検出すると、ホワイトボードアプリを起動して、ホワイトボード機能の画像（画面）を表示画面１００Ａに表示する。これにより、直ぐに、電子白板装置５００をホワイトボードとして使用できる。一方、デジタルサイネージが表示されているときに、指によって表示画面１００Ａにタッチされたことを検出すると、デジタルサイネージの一時停止又は一時停止からの動作の再開を行なう。
【００７５】
［効果］
電子白板装置５００は、ホワイトボードアプリを起動するタッチ方法を設定することが可能とされている。そのため、ホワイトボードアプリを起動するタッチ方法を設定することにより、ユーザの好みに沿った種々のタッチ方法でアプリケーションソフトの切替を行なうことができる。例えばユーザの好みのタッチ方法でホワイトボードアプリを起動できる。そのため、ホワイトボードアプリをより容易に起動できるので、ホワイトボード機能を一層速やかに利用できる。
【００７６】
電子白板装置５００はさらに、サイネージアプリを操作するタッチ方法を設定することが可能とされている。そのため、サイネージアプリの操作（一時停止及び再開の操作）を行なうタッチ方法を設定することにより、ユーザの好みに沿った種々のタッチ方法でサイネージアプリの操作を行なうことができる。例えばユーザの好みのタッチ方法でサイネージアプリの操作を行なうことができる。
【００７７】
（第３の実施の形態）
本発明の第３の実施の形態に係る電子白板装置には、複数種のタッチペンが用意されている。各タッチペンは、第１の実施の形態で示したタッチペン３００と同様の構成を有している。ただし、各タッチペンは互いに異なるペン信号を送信する。例えば、各タッチペンは、ペン信号をペン毎に異なるパルス幅でＰＷＭ（Ｐｕｌｓｅ  Ｗｉｄｔｈ  Ｍｏｄｕｌａｔｉｏｎ）変調させて送信する。電子白板装置は、このペン信号を受信することによって、タッチパネルディスプレイ１００にタッチされた部材がいずれのタッチペンであるかを検出する。すなわち、本電子白板装置は、タッチペンからのペン信号によってタッチパネルディスプレイ１００へのタッチとペン種類とを判定する。
【００７８】
電子白板装置は、種々のアプリケーションソフトを起動することが可能である。電子白板装置は、複数種のタッチペンと、電子白板装置において起動可能なアプリケーションソフトとを関連付けるための関連情報を記憶している。電子白板装置はさらに、タッチペンからのペン信号によってペン種類を判定すると、上記関連情報に基づいて、そのタッチペンに対応するアプリケーションソフトを起動する。すなわち、本電子白板装置は、タッチされたタッチペンによって異なるアプリケーションソフトを起動する。
【００７９】
種々のアプリケーションソフトは、メッセージボード機能を実現するためのアプリケーションソフト（以下「メッセージボードアプリ」と記載する。）、及び、スケジュール連絡ボード機能を実現するためのアプリケーションソフト（以下「スケジュール連絡ボードアプリ」と記載する。）を含む。
【００８０】
図９を参照して、メッセージボードアプリは、メッセージ書込み可能な付箋形状のオブジェクト８１０が羅列した状態で準備されている。メッセージボードアプリが起動されると、図９に示すメッセージボード画面８００がタッチパネルディスプレイ１００に表示される。図１０を参照して、スケジュール連絡ボードアプリは、メッセージ書込み画像の背景がスケジュール表の状態になっているアプリケーションソフトである。このスケジュール連絡ボードアプリが起動されると、図１０に示すスケジュール連絡ボード画面９００がタッチパネルディスプレイ１００に表示される。
【００８１】
本実施の形態に係る電子白板装置は、第１の実施の形態に係る電子白板装置５０とハードウェア構成は同じである。ただし、制御装置２００のＲＯＭ２１２又は記録部２１６が記憶しているプログラム等が異なる。
【００８２】
［ソフトウェア構成］
図１１を参照して、本実施の形態に係る電子白板装置において、ステップＳ２０００及びステップＳ２０１０における処理を除く各処理は、図６に示すコンピュータプログラムによって実行される各処理と同様である。以下、異なる部分について説明する。
【００８３】
このプログラムは、ステップＳ１０２０において、表示画面１００Ａへのタッチがタッチペンであると判定された場合に実行され、ペン信号に基づいてペン種類を判定するステップＳ２０００と、ステップＳ２０００の後に実行され、ペンの種類に応じたアプリケーションソフトを起動してこのプログラムを終了するステップＳ２０１０とを含む。
【００８４】
［効果］
電子白板装置は、タッチペンからのペン信号に基づいてペン種類を判定し、そのタッチペンに関連付けられたアプリケーションソフトを起動する。これにより、使用したいアプリケーションソフトが複数ある場合でも短時間で容易に所望のアプリケーションソフトを選択して起動できる。例えば、メッセージボードアプリを起動したい場合、メッセージボードアプリに対応するタッチペンを用いて画面をタッチすることにより、容易に、メッセージボードアプリを起動できる。同様に、スケジュール連絡ボードアプリを起動したい場合、スケジュール連絡ボードアプリに対応するタッチペンを用いて画面をタッチすることにより、容易に、スケジュール連絡ボードアプリを起動できる。
【００８５】
（第４の実施の形態）
本発明の第４の実施の形態に係る電子白板装置には、第３の実施の形態と同様、複数種のタッチペンが用意されている。各タッチペンは互いに異なるペン信号を送信する。各タッチペンの構成は、上記第３の実施の形態と同様である。電子白板装置は、このペン信号を受信することによって、タッチパネルディスプレイ１００にタッチされた部材がいずれのタッチペンであるかを検出する。すなわち、本電子白板装置は、タッチペンからのペン信号によってタッチパネルディスプレイ１００へのタッチとペン種類とを判定する。
【００８６】
電子白板装置は、種々のアプリケーションソフトを起動することが可能である。電子白板装置において起動可能なアプリケーションソフトは、複数の動作モード（例えばペンソフトモード及びメッセージボードモード等）を有するアプリケーションソフトを含む。こうしたアプリケーションソフトとして、例えばホワイトボードアプリが挙げられる。このホワイトボードアプリは、ペンソフトモード及びスケジュール連絡ボードモードを有する。ペンソフトモードでは、図１（Ｂ）に示すように、背景が白地のホワイトボード状の画面が表示される。ペンソフトモードは、タッチペンによってタッチパネルディスプレイ１００に文字等を描画可能な基本的なモードである。一方、スケジュール連絡ボードモードでは、図１０に示すように、背景にスケジュール表の枠が表示される。
【００８７】
電子白板装置は、複数種のタッチペンと、複数の動作モードを有するアプリケーションソフトの動作モードとを関連付けるための関連情報を記憶している。上記第３の実施の形態とは異なり、電子白板装置は、タッチペンからのペン信号によって画面へのタッチを検出すると、いずれのタッチペンを用いた場合も複数の動作モードを有する特定のアプリケーションソフトを起動する。電子白板装置はさらに、タッチペンからのペン信号によってペン種類を判定すると、上記関連情報に基づいて、アプリケーションソフトの動作モードをそのタッチペンに関連付けられた動作モードに切替える。すなわち、本電子白板装置は、タッチペンによるタッチによって特定のアプリケーションソフトを起動し、起動したアプリケーションソフト上での動作モードをタッチしたペン毎に変更する。
【００８８】
本実施の形態に係る電子白板装置は、第１の実施の形態に係る電子白板装置５０とハードウェア構成は同じである。ただし、制御装置２００のＲＯＭ２１２又は記録部２１６が記憶しているプログラム等が異なる。
【００８９】
［ソフトウェア構成］
図１２を参照して、本実施の形態に係る電子白板装置において、ステップＳ２１１０における処理を除く各処理は、図１１に示すコンピュータプログラムによって実行される各処理と同様である。以下、異なる部分について説明する。
【００９０】
このプログラムは、ステップＳ２０００の後に実行され、特定のアプリケーションソフトを起動し、当該アプリケーションソフトの動作モードをペンの種類に応じた動作モードに変更してこのプログラムを終了するステップＳ２１１０を含む。
【００９１】
［効果］
電子白板装置は、タッチペンからのペン信号に基づいてペン種類を判定し、そのタッチペンに関連付けられた動作モードで特定のアプリケーションソフトを起動する。これにより、アプリケーションソフトの動作モードを短時間で容易に所望の動作モードを選択して変更できる。例えば、ホワイトボードアプリのペンソフトモードを使用したい場合、ペンソフトモードに対応するタッチペンを用いて画面をタッチすることにより、容易に、ペンソフトモードの状態でホワイトボードアプリを起動できる。同様に、スケジュール連絡ボードモードを使用したい場合、スケジュール連絡ボードモードに対応するタッチペンを用いて画面をタッチすることにより、容易に、スケジュール連絡ボードモードの状態でホワイトボードアプリを起動できる。
【００９２】
さらに、特定のアプリケーションソフトが起動している状態で動作モードを変更したい場合、変更したい動作モードに対応するタッチペンを用いて画面をタッチすることにより、容易に、所望の動作モードに変更できる。例えばホワイトボードアプリがペンソフトモードで起動している状態でスケジュール連絡ボードモードに変更したい場合、スケジュール連絡ボードモードに対応するタッチペンを用いて画面をタッチすることにより、容易に、スケジュール連絡ボードモードに変更できる。その逆も同様である。
【００９３】
［変形例］
上記実施の形態では、表示装置の一例である電子白板装置に本発明を適用した例について示したが、本発明はそのような実施の形態には限定されない。表示画面へのタッチを検出可能な表示装置であれば、電子白板装置以外の表示装置に本発明を適用することもできる。なお、電子白板装置は、電子黒板装置と呼ばれることもある。
【００９４】
上記実施の形態では、表示画面へのタッチにより起動するアプリケーションソフトをホワイトボードアプリとした例について示したが、本発明はそのような実施の形態には限定されない。表示画面へのタッチにより起動するアプリケーションソフトは、ホワイトボードアプリ以外のアプリケーションソフトであってもよい。ホワイトボードアプリ以外のアプリケーションソフトは、ホワイトボードアプリのような描画機能を有するアプリケーションソフトであってもよい。さらに、ホワイトボードアプリ以外のアプリケーションソフトは、描画機能を有さないアプリケーションソフトであってもよい。例えば操作者を認証する鍵のようにタッチペン（タッチペン３００）を利用して、サービスマン等が特定のタッチペンを使って表示画面をタッチしたときに制御装置の設定のためのアプリケーションソフトを起動する（コントロールパネルを起動する）ようにしてもよい。
【００９５】
上記実施の形態では、デジタルサイネージが表示されているときに、タッチペン等の特定の部材による表示画面へのタッチを検出したことに応答して、ホワイトボードアプリ、メッセージボードアプリ又はスケジュール連絡ボードアプリ等の所望のアプリを起動するように構成した例について示したが、本発明はそのような実施の形態には限定されない。例えば、デジタルサイネージ以外のアプリケーションソフトが起動しているときに、タッチペン等の特定の部材による表示画面へのタッチを検出したことに応答して、所望のアプリを起動するように構成してもよい。
【００９６】
上記実施の形態では、電子白板装置（制御装置）が操作されない状態で所定時間放置されると、サイネージアプリが自動的に起動する例について示した。しかし、その場合ホワイトボード機能（ホワイトボードアプリ）の使用中（起動中）にサイネージアプリが起動して不都合が生じる場合もある。そのため、特定のアプリケーションソフトが起動した状態か否かに応じて、所定時間以上放置してもサイネージアプリを起動しないように構成してもよい。例えば、ホワイトボードアプリが起動している場合には、電子白板装置を操作しない状態で所定時間経過した場合でも、サイネージアプリを起動しないようにしてもよい。
【００９７】
上記実施の形態では、ペン信号の送受信を赤外線方式で行なう例について示したが、本発明はそのような実施の形態には限定されない。ペン信号の送受信は、タッチ検出装置の処理を妨げない方法であればよい。ペン信号の送受信の方式は、上記した赤外線方式以外に、例えば超音波方式、電磁波方式等の方式であってもよい。さらにタッチペンの種類が増えたときにタッチペンの種類を判定するために、タッチペンより発生する赤外線、超音波、又は電磁波等をペン毎に異なるパルス幅でＰＷＭ変調させてタッチ検出装置側で検出するようにしてもよい。
【００９８】
上記実施の形態では、タッチペンのペン先スイッチを機械式スイッチとした例について示したが、本発明はそのような実施の形態には限定されない。タッチペンのペン先スイッチは、ペン先が指示対象物に対して接触しているか否かを検出できる構成であればよく、機械式スイッチに限定されるものではない。例えば、タッチペンのペン先スイッチを光学式スイッチ等としてもよい。
【００９９】
上記で開示された技術を適宜組合せて得られる実施の形態についても、本発明の技術的範囲に含まれる。
【０１００】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１０１】
５０、５００            電子白板装置
１００                  タッチパネルディスプレイ
１００Ａ                表示画面
１１０                  表示部
１２０                  タッチ検出装置
１２２                  ペン信号受信部
２００、６００          制御装置
２１０                  ＣＰＵ
２１２                  ＲＯＭ
２１４                  ＲＡＭ
２１６                  記録部
２２０                  ディスプレイ制御部
２２６                  ディスプレイ出力部
２２８                  タッチ検出部
２３０、６１０          ディスプレイ設定部
３００                  タッチペン
３１０                  ペン先スイッチ
３１２                  ペン制御部
３１４                  ペン信号送信部
【図２】
2014085877.tif 000003
【図３】
2014085877.tif 000004
【図４】
2014085877.tif 000005
【図５】
2014085877.tif 000006
【図６】
2014085877.tif 000007
【図７】
2014085877.tif 000008
【図８】
2014085877.tif 000009
【図９】
2014085877.tif 000010
【図１０】
2014085877.tif 000011
【図１１】
2014085877.tif 000012
【図１２】
2014085877.tif 000013
【図１】
2014085877.tif 000014